(57)【要約】【課題】光ディスクの経時変化による劣化状況も把握できて前もってバックアップの準備や対策を行うことができ、また、書き込み系の光ディスクに記録されているコンテンツがディスク記録面の傷や色素変化などによりデータの読み出しができなくなる前にバックアップを行えるようにする。【解決手段】ジッタ値、そのバラツキ量、ブロックエラーレート、特定位置でのブロックエラーレートが各予告基準値を超えたと判定された場合の一つ以上の場合が生じたとき、当該光ディスクの記録データは先でバックアップを取る方が良いという予告メッセージを表示させ、ジッタ値、そのバラツキ量、ブロックエラーレート、特定位置でのブロックエラーレートが、各限界基準値を超えていると判定された場合の一つ以上の場合が生じたとき、当該光ディスクの記録データのバックアップを早急にとるように告知する早急メッセージを表示させる。【選択図】図２
2007149161.tif 000002
【特許請求の範囲】
【請求項１】
光ディスクに対して情報の記録／再生を行う光ディスク記録再生装置において、
光ディスクの情報の再生中に光ピックアップからの読み取り信号であるＲＦ信号より時間経過に従ったジッタ値を検出するジッタ値検出手段と、
前記ＲＦ信号をデジタルデータに変換した後の誤り訂正処理を行ったときのブロックエラーレートを検出するブロックエラーレート検出手段と、
前記検出されたジッタ値は限界基準値を超えたか否かを判定するジッタ限界基準値判定手段と、
前記検出されたジッタ値のバラツキ量は限界基準値を超えたか否かを判定するジッタバラツキ限界基準値判定手段と、
前記検出されたブロックエラーレートは限界基準値を超えたか否かを判定するブロックエラーレート限界基準値判定手段と、
前記検出されたブロックエラーレートは特定位置において限界基準値を超えて増加したか否かを判定するブロックエラーレート増加判定手段と、
前記検出されたジッタ値は限界基準値を超えたと判定された場合、前記検出されたジッタ値のバラツキ量は限界基準値を超えたと判定された場合、前記検出されたブロックエラーレートは限界基準値を超えたと判定された場合、および前記検出されたブロックエラーレートは特定位置において限界基準値を超えて増加したと判定された場合のうちの一つ以上の場合が生じたとき、当該光ディスクの記録データのバックアップを早急に取るように告知する早急メッセージを表示手段に表示させる早急メッセージ表示処理手段と、
前記光ディスクの空き領域や書き換え指示された領域を検出することにより記録データのバックアップは前記同じ光ディスクにバックアップが可能であるか否かを判定するバックアップ判定手段と、
前記同じ光ディスクにバックアップが可能であると判定された場合に、前記同じ光ディスクの空き領域または書き換え指示された領域に前記同じ光ディスクの記録データのバックアップを取る制御を行うバックアップ制御手段と、
前記同じ光ディスクにバックアップが不可能であると判定された場合に、違う光ディスクにバックアップを行うように指示を与えるバックアップ指示手段と、
前記検出されたジッタ値は限界基準値を超えていないと判定された場合に、前記ジッタ値は予告基準値を超えているか否かを判定するジッタ予告基準値判定手段と、
前記ジッタ値は予告基準値を超えていると判定された場合に、このときのジッタ値を次回の判定基準に用いる次回の予告基準値として前記光ディスクに記録させる次回ジッタ基準値記録手段と、
前記検出されたジッタ値のバラツキ量は限界基準値を超えていないと判定された場合に、前記ジッタ値のバラツキ量は予告基準値を超えているか否かを判定するジッタバラツキ量予告基準値判定手段と、
前記ジッタ値のバラツキ量は予告基準値を超えていると判定された場合に、このときのジッタ値のバラツキ量を次回の判定基準に用いる次回の予告基準値として前記光ディスクに記録させる次回ジッタバラツキ基準値記録手段と、
前記検出されたブロックエラーレートは限界基準値を超えていないと判定された場合に、前記ブロックエラーレートは予告基準値を超えているか否かを判定するブロックエラーレート予告基準値判定手段と、
前記ブロックエラーレートは予告基準値を超えていると判定された場合に、このときのブロックエラーレートを次回の判定基準に用いる次回の予告基準値として前記光ディスクに記録させる次回ブロックエラーレート基準値記録手段と、
前記検出されたブロックエラーレートは特定位置において限界基準値を超えて増加してないと判定された場合に、前記ブロックエラーレートは特定位置において予告基準値を超えて増加したか否かを判定する増加ブロックエラーレート予告基準値判定手段と、
前記ブロックエラーレートは特定位置において予告基準値を超えて増加したと判定された場合に、このときのブロックエラーレートを次回の判定基準に用いる次回の予告基準値として前記光ディスクに記録させる次回増加ブロックエラーレート基準値記録手段と、
前記ジッタ値は予告基準値を超えていると判定された場合、前記ジッタ値のバラツキ量は予告基準値を超えていると判定された場合、前記ブロックエラーレートは予告基準値を超えていると判定された場合、および前記ブロックエラーレートは特定位置において予告基準値を超えて増加したと判定された場合のうちの一つ以上の場合が生じたとき、当該光ディスクの記録データは先でバックアップを取る方が良いという予告メッセージを表示手段に表示させる予告メッセージ表示処理手段と、を有するシステムコントローラを備えたことを特徴とする光ディスク記録再生装置。
【請求項２】
光ディスクに対して情報の記録／再生を行う光ディスク記録再生装置において、光ディスクの情報を再生中に検出されたジッタ値が限界基準値を超えた場合、検出されたジッタ値のバラツキ量が限界基準値を超えた場合、検出されたブロックエラーレートが限界基準値を超えた場合、および前記検出されたブロックエラーレートが特定位置において限界基準値を超えて増加した場合のうちの一つ以上の場合が生じたとき、当該光ディスクの記録データのバックアップを早急に取るように告知する早急メッセージを表示手段に表示させると共に、前記ジッタ値が予告基準値を超えている場合、前記ジッタ値のバラツキ量が予告基準値を超えている場合、前記ブロックエラーレートが予告基準値を超えている場合、および前記ブロックエラーレートが特定位置において予告基準値を超えて増加した場合のうちの一つ以上の場合が生じたとき、当該光ディスクの記録データは先でバックアップを取る方が良いという予告メッセージを表示手段に表示させる制御を行うシステムコントローラを備えたことを特徴とする光ディスク記録再生装置。
【請求項３】
システムコントローラは、光ディスクの情報の再生中に光ピックアップからの読み取り信号であるＲＦ信号より時間経過に従ったジッタ値を検出するジッタ値検出手段と、前記ＲＦ信号をデジタルデータに変換した後の誤り訂正処理を行ったときのブロックエラーレートを検出するブロックエラーレート検出手段と、前記検出されたジッタ値は限界基準値を超えたか否かを判定するジッタ限界基準値判定手段と、前記検出されたジッタ値のバラツキ量は限界基準値を超えたか否かを判定するジッタバラツキ限界基準値判定手段と、前記検出されたブロックエラーレートは限界基準値を超えたか否かを判定するブロックエラーレート限界基準値判定手段と、前記検出されたブロックエラーレートは特定位置において限界基準値を超えて増加したか否かを判定するブロックエラーレート増加判定手段と、前記検出されたジッタ値は限界基準値を超えたと判定された場合、前記検出されたジッタ値のバラツキ量は限界基準値を超えたと判定された場合、前記検出されたブロックエラーレートは限界基準値を超えたと判定された場合、および前記検出されたブロックエラーレートは特定位置において限界基準値を超えて増加したと判定された場合のうちの一つ以上の場合が生じたとき、当該光ディスクの記録データのバックアップを早急に取るように告知する早急メッセージを表示手段に表示させる早急メッセージ表示処理手段と、前記検出されたジッタ値は限界基準値を超えていないと判定された場合に、前記ジッタ値は予告基準値を超えているか否かを判定するジッタ予告基準値判定手段と、前記ジッタ値は予告基準値を超えていると判定された場合に、このときのジッタ値を次回の判定基準に用いる次回の予告基準値として前記光ディスクに記録させる次回ジッタ基準値記録手段と、前記検出されたジッタ値のバラツキ量は限界基準値を超えていないと判定された場合に、前記ジッタ値のバラツキ量は予告基準値を超えているか否かを判定するジッタバラツキ量予告基準値判定手段と、前記ジッタ値のバラツキ量は予告基準値を超えていると判定された場合に、このときのジッタ値のバラツキ量を次回の判定基準に用いる次回の予告基準値として前記光ディスクに記録させる次回ジッタバラツキ基準値記録手段と、前記検出されたブロックエラーレートは限界基準値を超えていないと判定された場合に、前記ブロックエラーレートは予告基準値を超えているか否かを判定するブロックエラーレート予告基準値判定手段と、前記ブロックエラーレートは予告基準値を超えていると判定された場合に、このときのブロックエラーレートを次回の判定基準に用いる次回の予告基準値として前記光ディスクに記録させる次回ブロックエラーレート基準値記録手段と、前記検出されたブロックエラーレートは特定位置において限界基準値を超えて増加してないと判定された場合に、前記ブロックエラーレートは特定位置において予告基準値を超えて増加したか否かを判定する増加ブロックエラーレート予告基準値判定手段と、前記ブロックエラーレートは特定位置において予告基準値を超えて増加したと判定された場合に、このときのブロックエラーレートを次回の判定基準に用いる次回の予告基準値として前記光ディスクに記録させる次回増加ブロックエラーレート基準値記録手段と、前記ジッタ値は予告基準値を超えていると判定された場合、前記ジッタ値のバラツキ量は予告基準値を超えていると判定された場合、前記ブロックエラーレートは予告基準値を超えていると判定された場合、および前記ブロックエラーレートは特定位置において予告基準値を超えて増加したと判定された場合のうちの一つ以上の場合が生じたとき、当該光ディスクの記録データは先でバックアップを取る方が良いという予告メッセージを表示手段に表示させる予告メッセージ表示処理手段とを有することを特徴とする請求項２に記載の光ディスク記録再生装置。
【請求項４】
前記システムコントローラは、前記光ディスクの空き領域や書き換え指示された領域を検出することにより前記記録データのバックアップは前記同じ光ディスクにバックアップが可能であるか否かを判定するバックアップ判定手段と、前記同じ光ディスクにバックアップが可能であると判定された場合に、前記同じ光ディスクの空き領域または書き換え指示された領域に前記同じ光ディスクの記録データのバックアップを取る制御を行うバックアップ制御手段と、前記同じ光ディスクにバックアップが不可能であると判定された場合に、違う光ディスクにバックアップを行うように指示を与えるバックアップ指示手段とを有することを特徴とする請求項３に記載の光ディスク記録再生装置。
【発明の詳細な説明】
【技術分野】
【０００１】
本発明は、光ディスクに対して情報の記録／再生を行う光ディスク記録再生装置に関し、特に、光ディスクが記録面の傷や色素変化などにより記録データの読み出しができなくなる前にバックアップを指示する機能を有する光ディスク記録再生装置に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭタイプのＤＶＤ、ユーザ側で情報を１回だけ記録できるＤＶＤ−ＲタイプやＤＶＤ＋ＲタイプのＤＶＤ、ユーザ側で情報を記録でき所定回数まで書き換え可能なＤＶＤ−ＲＷタイプやＤＶＤ＋ＲＷタイプやＤＶＤ−ＲＡＭタイプのＤＶＤなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒタイプ、ＤＶＤ＋Ｒタイプ、ＤＶＤ−ＲＷタイプ、ＤＶＤ＋ＲＷタイプ、ＤＶＤ−ＲＡＭタイプのＤＶＤなどへの情報の記録は、光ディスク記録再生装置で可能である。
【０００３】
ところで、従来から光ディスク記録再生装置では、光ディスクに記録されたデータを再生時に光ピックアップからの読取信号であるＲＦ信号をデジタルデータに変換した後、ＤＶＤのデータフォーマットに応じた信号復調処理とＥＣＣブロックによる誤り訂正処理を行っている。この誤り訂正処理を行う誤り訂正機能によって、或る程度のデータ損失は復元できることに加えて、映像や音楽といったデータでは、誤り訂正機能によって完全に復元できなくても、データ補間によってユーザが気付かないレベルまでのデータ訂正が可能である。
【特許文献１】特開２００５−２５８６１号公報
【発明の開示】
【発明が解決しようとする課題】
【０００４】
ビデオカセットテープのような磁気テープに記録されたデータはアナログであるので、磁気テープの劣化と共に、ユーザ側でデータの悪化を再生映像で感じることができるが、ＤＶＤなどの光ディスクでは、デジタルデータが記録され、記録面の傷や色素変化があっても、誤り訂正処理によりユーザ側でデータの悪化状況を直接感じることができず、突然データが読めなくなる場面に遭遇する場合がある。したがって、光ディスク記録再生装置では、突然データが読めなくなる前に、当該光ディスクの記録データのバックアップを取る必要がある。
【０００５】
そこで、例えば、特許文献１の従来技術では、光ディスクから読み取ったデータのエラーの水準を確認して光ディスクの劣化を判断し、劣化を判断したときに告知し、光ディスクの空き領域にデータのバックアップを行うようにしているが、光ピックアップからの読み取り信号のジッタ値も検出していないので、光ディスクの経時変化による劣化状況を把握できず、即ち、除々に劣化して行ったのか急激に劣化して行ったのかが分からないため、ユーザにとっては、前もってバックアップの準備や対策を行うことができなくて不便であるという課題が生じる。
【０００６】
本発明は、上記のような課題を解決するためになされたもので、光ディスクの経時変化による劣化状況も把握できて、前もってバックアップの準備や対策を行うことができ、また、書き込み系の光ディスクに記録されているコンテンツがディスク記録面の傷や色素変化などによりデータの読み出しができなくなる前にバックアップを行えるようにした光ディスク記録再生装置を提供することを目的とする。
【課題を解決するための手段】
【０００７】
上記目的を達成するために、請求項１の発明は、光ディスクの情報の再生中に光ピックアップからの読み取り信号であるＲＦ信号より時間経過に従ったジッタ値を検出するジッタ値検出手段と、前記ＲＦ信号をデジタルデータに変換した後の誤り訂正処理を行ったときのブロックエラーレートを検出するブロックエラーレート検出手段と、前記検出されたジッタ値は限界基準値を超えたか否かを判定するジッタ限界基準値判定手段と、前記検出されたジッタ値のバラツキ量は限界基準値を超えたか否かを判定するジッタバラツキ限界基準値判定手段と、前記検出されたブロックエラーレートは限界基準値を超えたか否かを判定するブロックエラーレート限界基準値判定手段と、前記検出されたブロックエラーレートは特定位置において限界基準値を超えて増加したか否かを判定するブロックエラーレート増加判定手段と、前記検出されたジッタ値は限界基準値を超えたと判定された場合、前記検出されたジッタ値のバラツキ量は限界基準値を超えたと判定された場合、前記検出されたブロックエラーレートは限界基準値を超えたと判定された場合、および前記検出されたブロックエラーレートは特定位置において限界基準値を超えて増加したと判定された場合のうちの一つ以上の場合が生じたとき、当該光ディスクの記録データのバックアップを早急に取るように告知する早急メッセージを表示手段に表示させる早急メッセージ表示処理手段と、前記光ディスクの空き領域や書き換え指示された領域を検出することにより前記記録データのバックアップは前記同じ光ディスクにバックアップが可能であるか否かを判定するバックアップ判定手段と、前記同じ光ディスクにバックアップが可能であると判定された場合に、前記同じ光ディスクの空き領域または書き換え指示された領域に前記同じ光ディスクの記録データのバックアップを取る制御を行うバックアップ制御手段と、前記同じ光ディスクにバックアップが不可能であると判定された場合に、違う光ディスクにバックアップを行うように指示を与えるバックアップ指示手段と、前記検出されたジッタ値は限界基準値を超えていないと判定された場合に、前記ジッタ値は予告基準値を超えているか否かを判定するジッタ予告基準値判定手段と、前記ジッタ値は予告基準値を超えていると判定された場合に、このときのジッタ値を次回の判定基準に用いる次回の予告基準値として前記光ディスクに記録させる次回ジッタ基準値記録手段と、前記検出されたジッタ値のバラツキ量は限界基準値を超えていないと判定された場合に、前記ジッタ値のバラツキ量は予告基準値を超えているか否かを判定するジッタバラツキ量予告基準値判定手段と、前記ジッタ値のバラツキ量は予告基準値を超えていると判定された場合に、このときのジッタ値のバラツキ量を次回の判定基準に用いる次回の予告基準値として前記光ディスクに記録させる次回ジッタバラツキ基準値記録手段と、前記検出されたブロックエラーレートは限界基準値を超えていないと判定された場合に、前記ブロックエラーレートは予告基準値を超えているか否かを判定するブロックエラーレート予告基準値判定手段と、前記ブロックエラーレートは予告基準値を超えていると判定された場合に、このときのブロックエラーレートを次回の判定基準に用いる次回の予告基準値として前記光ディスクに記録させる次回ブロックエラーレート基準値記録手段と、前記検出されたブロックエラーレートは特定位置において限界基準値を超えて増加してないと判定された場合に、前記ブロックエラーレートは特定位置において予告基準値を超えて増加したか否かを判定する増加ブロックエラーレート予告基準値判定手段と、前記ブロックエラーレートは特定位置において予告基準値を超えて増加したと判定された場合に、このときのブロックエラーレートを次回の判定基準に用いる次回の予告基準値として前記光ディスクに記録させる次回増加ブロックエラーレート基準値記録手段と、前記ジッタ値は予告基準値を超えていると判定された場合、前記ジッタ値のバラツキ量は予告基準値を超えていると判定された場合、前記ブロックエラーレートは予告基準値を超えていると判定された場合、および前記ブロックエラーレートは特定位置において予告基準値を超えて増加したと判定された場合のうちの一つ以上の場合が生じたとき、当該光ディスクの記録データは先でバックアップを取る方が良いという予告メッセージを表示手段に表示させる予告メッセージ表示処理手段と、を有するシステムコントローラを備えたことを特徴とする光ディスク記録再生装置を提供する。
【０００８】
この構成によれば、ジッタ値が予告基準値を超えていると判定された場合、ジッタ値のバラツキ量が予告基準値を超えていると判定された場合、ブロックエラーレートが予告基準値を超えていると判定された場合、およびブロックエラーレートが特定位置において予告基準値を超えて増加したと判定された場合のうちの一つ以上の場合が生じたとき、当該光ディスクの記録データは先でバックアップを取る方が良いという予告メッセージを表示させるようにしたので、光ディスクの経時変化による劣化状況も把握できて、前もってバックアップの準備や対策を行うことができる。
【０００９】
また、ジッタ値は限界基準値を超えていると判定された場合、ジッタ値のバラツキ量は限界基準値を超えていると判定された場合、ブロックエラーレートは限界基準値を超えていると判定された場合、およびブロックエラーレートは特定位置において限界基準値を超えて増加したと判定された場合のうちの一つ以上の場合が生じたとき、当該光ディスクの記録データのバックアップを早急に取るように告知する早急メッセージを表示させるようにしたので、光ディスクに記録されているコンテンツがディスク記録面の傷や色素変化などによりデータの読み出しができなくなる前に、ユーザに気付かせることで、当該光ディスクの記録データのバックアップを早急に取って、大切な記録データの損失を防ぐことができるようになる。
【００１０】
また、当該光ディスクに空き領域や書き換え指示された領域があれば、同じ光ディスクに記録データのバックアップを取ることができ、同じ光ディスクにバックアップが不可能であれば、違う光ディスクにバックアップを行うように指示を与えることができるので、バックアップを取る場合、光ディスクを有効に使用できる。
【００１１】
請求項２の発明は、光ディスクの情報を再生中に検出されたジッタ値が限界基準値を超えた場合、検出されたジッタ値のバラツキ量が限界基準値を超えた場合、検出されたブロックエラーレートが限界基準値を超えた場合、および前記検出されたブロックエラーレートが特定位置において限界基準値を超えて増加した場合のうちの一つ以上の場合が生じたとき、当該光ディスクの記録データのバックアップを早急に取るように告知する早急メッセージを表示手段に表示させると共に、前記ジッタ値が予告基準値を超えている場合、前記ジッタ値のバラツキ量が予告基準値を超えている場合、前記ブロックエラーレートが予告基準値を超えている場合、および前記ブロックエラーレートが特定位置において予告基準値を超えて増加した場合のうちの一つ以上の場合が生じたとき、当該光ディスクの記録データは先でバックアップを取る方が良いという予告メッセージを表示手段に表示させる制御を行うシステムコントローラを備えたことを特徴とする光ディスク記録再生装置を提供する。
【００１２】
この構成によれば、ジッタ値が予告基準値を超えていると判定された場合、ジッタ値のバラツキ量が予告基準値を超えていると判定された場合、ブロックエラーレートが予告基準値を超えていると判定された場合、およびブロックエラーレートが特定位置において予告基準値を超えて増加したと判定された場合のうちの一つ以上の場合が生じたとき、当該光ディスクの記録データは先でバックアップを取る方が良いという予告メッセージを表示させるようにしたので、光ディスクの経時変化による劣化状況も把握できて、前もってバックアップの準備や対策を行うことができる。
【００１３】
また、ジッタ値は限界基準値を超えていると判定された場合、ジッタ値のバラツキ量は限界基準値を超えていると判定された場合、ブロックエラーレートは限界基準値を超えていると判定された場合、およびブロックエラーレートは特定位置において限界基準値を超えて増加したと判定された場合のうちの一つ以上の場合が生じたとき、当該光ディスクの記録データのバックアップを早急に取るように告知する早急メッセージを表示させるようにしたので、光ディスクに記録されているコンテンツがディスク記録面の傷や色素変化などによりデータの読み出しができなくなる前に、ユーザに気付かせることで、当該光ディスクの記録データのバックアップを早急に取って、大切な記録データの損失を防ぐことができるようになる。
【００１４】
請求項３の発明では、請求項２に発明において、システムコントローラは、光ディスクの情報の再生中に光ピックアップからの読み取り信号であるＲＦ信号より時間経過に従ったジッタ値を検出するジッタ値検出手段と、前記ＲＦ信号をデジタルデータに変換した後の誤り訂正処理を行ったときのブロックエラーレートを検出するブロックエラーレート検出手段と、前記検出されたジッタ値は限界基準値を超えたか否かを判定するジッタ限界基準値判定手段と、前記検出されたジッタ値のバラツキ量は限界基準値を超えたか否かを判定するジッタバラツキ限界基準値判定手段と、前記検出されたブロックエラーレートは限界基準値を超えたか否かを判定するブロックエラーレート限界基準値判定手段と、前記検出されたブロックエラーレートは特定位置において限界基準値を超えて増加したか否かを判定するブロックエラーレート増加判定手段と、前記検出されたジッタ値は限界基準値を超えたと判定された場合、前記検出されたジッタ値のバラツキ量は限界基準値を超えたと判定された場合、前記検出されたブロックエラーレートは限界基準値を超えたと判定された場合、および前記検出されたブロックエラーレートは特定位置において限界基準値を超えて増加したと判定された場合のうちの一つ以上の場合が生じたとき、当該光ディスクの記録データのバックアップを早急に取るように告知する早急メッセージを表示手段に表示させる早急メッセージ表示処理手段と、前記検出されたジッタ値は限界基準値を超えていないと判定された場合に、前記ジッタ値は予告基準値を超えているか否かを判定するジッタ予告基準値判定手段と、前記ジッタ値は予告基準値を超えていると判定された場合に、このときのジッタ値を次回の判定基準に用いる次回の予告基準値として前記光ディスクに記録させる次回ジッタ基準値記録手段と、前記検出されたジッタ値のバラツキ量は限界基準値を超えていないと判定された場合に、前記ジッタ値のバラツキ量は予告基準値を超えているか否かを判定するジッタバラツキ量予告基準値判定手段と、前記ジッタ値のバラツキ量は予告基準値を超えていると判定された場合に、このときのジッタ値のバラツキ量を次回の判定基準に用いる次回の予告基準値として前記光ディスクに記録させる次回ジッタバラツキ基準値記録手段と、前記検出されたブロックエラーレートは限界基準値を超えていないと判定された場合に、前記ブロックエラーレートは予告基準値を超えているか否かを判定するブロックエラーレート予告基準値判定手段と、前記ブロックエラーレートは予告基準値を超えていると判定された場合に、このときのブロックエラーレートを次回の判定基準に用いる次回の予告基準値として前記光ディスクに記録させる次回ブロックエラーレート基準値記録手段と、前記検出されたブロックエラーレートは特定位置において限界基準値を超えて増加してないと判定された場合に、前記ブロックエラーレートは特定位置において予告基準値を超えて増加したか否かを判定する増加ブロックエラーレート予告基準値判定手段と、前記ブロックエラーレートは特定位置において予告基準値を超えて増加したと判定された場合に、このときのブロックエラーレートを次回の判定基準に用いる次回の予告基準値として前記光ディスクに記録させる次回増加ブロックエラーレート基準値記録手段と、前記ジッタ値は予告基準値を超えていると判定された場合、前記ジッタ値のバラツキ量は予告基準値を超えていると判定された場合、前記ブロックエラーレートは予告基準値を超えていると判定された場合、および前記ブロックエラーレートは特定位置において予告基準値を超えて増加したと判定された場合のうちの一つ以上の場合が生じたとき、当該光ディスクの記録データは先でバックアップを取る方が良いという予告メッセージを表示手段に表示させる予告メッセージ表示処理手段とを有する。
【００１５】
したがって、ジッタ値が予告基準値を超えていると判定された場合、ジッタ値のバラツキ量が予告基準値を超えていると判定された場合、ブロックエラーレートが予告基準値を超えていると判定された場合、およびブロックエラーレートが特定位置において予告基準値を超えて増加したと判定された場合のうちの一つ以上の場合が生じたとき、当該光ディスクの記録データは先でバックアップを取る方が良いという予告メッセージを表示させることが可能になる。
【００１６】
また、ジッタ値は限界基準値を超えていると判定された場合、ジッタ値のバラツキ量は限界基準値を超えていると判定された場合、ブロックエラーレートは限界基準値を超えていると判定された場合、およびブロックエラーレートは特定位置において限界基準値を超えて増加したと判定された場合のうちの一つ以上の場合が生じたとき、当該光ディスクの記録データのバックアップを早急にとるように告知する早急メッセージを表示させることが可能になる。
【００１７】
請求項４の発明では、請求項２の発明において、前記システムコントローラは、前記光ディスクの空き領域や書き換え指示された領域を検出することにより前記記録データのバックアップは前記同じ光ディスクにバックアップが可能であるか否かを判定するバックアップ判定手段と、前記同じ光ディスクにバックアップが可能であると判定された場合に、前記同じ光ディスクの空き領域または書き換え指示された領域に前記同じ光ディスクの記録データのバックアップを取る制御を行うバックアップ制御手段と、前記同じ光ディスクにバックアップが不可能であると判定された場合に、違う光ディスクにバックアップを行うように指示を与えるバックアップ指示手段とを有するので、当該光ディスクに空き領域や書き換え指示された領域があれば、同じ光ディスクに記録データのバックアップを取ることができ、同じ光ディスクにバックアップが不可能であれば、違う光ディスクにバックアップを行うように指示を与えることができるので、バックアップを取る場合、光ディスクを有効に使用できる。
【発明の効果】
【００１８】
以上のように本発明によれば、ジッタ値が予告基準値を超えていると判定された場合、ジッタ値のバラツキ量が予告基準値を超えていると判定された場合、ブロックエラーレートが予告基準値を超えていると判定された場合、およびブロックエラーレートが特定位置において予告基準値を超えて増加したと判定された場合のうちの一つ以上の場合が生じたとき、当該光ディスクの記録データは先でバックアップを取る方が良いという予告メッセージを表示させるようにしたので、光ディスクの経時変化による劣化状況も把握できて、前もってバックアップの準備や対策を行うことができる。
【００１９】
また、ジッタ値は限界基準値を超えていると判定された場合、ジッタ値のバラツキ量は限界基準値を超えていると判定された場合、ブロックエラーレートは限界基準値を超えていると判定された場合、およびブロックエラーレートは特定位置において限界基準値を超えて増加したと判定された場合のうちの一つ以上の場合が生じたとき、当該光ディスクの記録データのバックアップを早急にとるように告知する早急メッセージを表示させるようにしたので、光ディスクに記録されているコンテンツがディスク記録面の傷や色素変化などによりデータの読み出しができなくなる前に、ユーザに気付かせることで、当該光ディスクの記録データのバックアップを早急に取って、大切な記録データの損失を防ぐことができるようになる。
【００２０】
また、当該光ディスクに空き領域や書き換え指示された領域があれば、同じ光ディスクに記録データのバックアップを取ることができ、同じ光ディスクにバックアップが不可能であれば、違う光ディスクにバックアップを行うように指示を与えることができるので、バックアップを取る場合、光ディスクを有効に使用できる。
【発明を実施するための最良の形態】
【００２１】
以下、添付図面を参照しつつ、本発明の実施の形態について説明する。図１は本発明の一実施形態に係る光ディスク記録再生装置の構成を示すブロック図である。
【００２２】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２３】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理とＥＣＣブロックによる誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２４】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００２５】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２６】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００２７】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２８】
システムコントローラ２２は、本実施形態の特徴とする構成要素として、光ディスクの情報の再生中に光ピックアップからの読み取り信号であるＲＦ信号より時間経過に従ったジッタ値を検出するジッタ値検出手段と、前記ＲＦ信号をデジタルデータに変換した後の誤り訂正処理を行ったときのブロックエラーレートを検出するブロックエラーレート検出手段と、前記検出されたジッタ値は限界基準値を超えたか否かを判定するジッタ限界基準値判定手段と、前記検出されたジッタ値のバラツキ量は限界基準値を超えたか否かを判定するジッタバラツキ限界基準値判定手段と、前記検出されたブロックエラーレートは限界基準値を超えたか否かを判定するブロックエラーレート限界基準値判定手段と、前記検出されたブロックエラーレートは特定位置において限界基準値を超えて増加したか否かを判定するブロックエラーレート増加判定手段とを有する。
【００２９】
また、システムコントローラ２２は、前記検出されたジッタ値は限界基準値を超えたと判定された場合、前記検出されたジッタ値のバラツキ量は限界基準値を超えたと判定された場合、前記検出されたブロックエラーレートは限界基準値を超えたと判定された場合、および前記検出されたブロックエラーレートは特定位置において限界基準値を超えて増加したと判定された場合のうちの一つ以上の場合が生じたとき、当該光ディスクの記録データのバックアップを早急に取るように告知する早急メッセージを表示手段に表示させる早急メッセージ表示処理手段と、前記光ディスクの空き領域や書き換え指示された領域を検出することにより前記記録データのバックアップは前記同じ光ディスクにバックアップが可能であるか否かを判定するバックアップ判定手段と、前記同じ光ディスクにバックアップが可能であると判定された場合に、前記同じ光ディスクの空き領域または書き換え指示された領域に前記同じ光ディスクの記録データのバックアップを取る制御を行うバックアップ制御手段と、前記同じ光ディスクにバックアップが不可能であると判定された場合に、違う光ディスクにバックアップを行うように指示を与えるバックアップ指示手段とを有する。
【００３０】
また、システムコントローラ２２は、前記検出されたジッタ値は限界基準値を超えていないと判定された場合に、前記ジッタ値は予告基準値を超えているか否かを判定するジッタ予告基準値判定手段と、前記ジッタ値は予告基準値を超えていると判定された場合に、このときのジッタ値を次回の判定基準に用いる次回の予告基準値として前記光ディスクに記録させる次回ジッタ基準値記録手段と、前記検出されたジッタ値のバラツキ量は限界基準値を超えていないと判定された場合に、前記ジッタ値のバラツキ量は予告基準値を超えているか否かを判定するジッタバラツキ量予告基準値判定手段と、前記ジッタ値のバラツキ量は予告基準値を超えていると判定された場合に、このときのジッタ値のバラツキ量を次回の判定基準に用いる次回の予告基準値として前記光ディスクに記録させる次回ジッタバラツキ基準値記録手段とを有する。
【００３１】
また、システムコントローラ２２は、前記検出されたブロックエラーレートは限界基準値を超えていないと判定された場合に、前記ブロックエラーレートは予告基準値を超えているか否かを判定するブロックエラーレート予告基準値判定手段と、前記ブロックエラーレートは予告基準値を超えていると判定された場合に、このときのブロックエラーレートを次回の判定基準に用いる次回の予告基準値として前記光ディスクに記録させる次回ブロックエラーレート基準値記録手段と、前記検出されたブロックエラーレートは特定位置において限界基準値を超えて増加してないと判定された場合に、前記ブロックエラーレートは特定位置において予告基準値を超えて増加したか否かを判定する増加ブロックエラーレート予告基準値判定手段と、前記ブロックエラーレートは特定位置において予告基準値を超えて増加したと判定された場合に、このときのブロックエラーレートを次回の判定基準に用いる次回の予告基準値として前記光ディスクに記録させる次回増加ブロックエラーレート基準値記録手段とを有する。
【００３２】
更に、システムコントローラ２２は、前記ジッタ値は予告基準値を超えていると判定された場合、前記ジッタ値のバラツキ量は予告基準値を超えていると判定された場合、前記ブロックエラーレートは予告基準値を超えていると判定された場合、および前記ブロックエラーレートは特定位置において予告基準値を超えて増加したと判定された場合のうちの一つ以上の場合が生じたとき、当該光ディスクの記録データは先でバックアップを取る方が良いという予告メッセージを表示手段に表示させる予告メッセージ表示処理手段を有する。
【００３３】
図２は本実施形態において光ディスクが記録面の傷や色素変化などにより記録データの読み出しができなくなる前にバックアップを指示する機能の処理を説明するためのフローチャートである。このフローチャートおよび図１を参照して光ディスクが記録面の傷や色素変化などにより記録データの読み出しができなくなる前にバックアップを指示する機能の処理について説明する。
【００３４】
先ず、光ディスク１が装填され、リモコン２１の再生キーが押下されると（ステップＳ１）、システムコントローラ２２は、サーボ制御部４を制御してモータ駆動回路３４を通じてスピンドルモータ５を回転駆動させることにより光ディスク１を回転させると共に、光ピックアップ２を動作させ、光ディスク１に対する再生を開始させる（ステップＳ２）。再生が開始すると、光ピックアップ２は光ディスク１からの読み取り信号であるＲＦ信号を出力し、このＲＦ信号はＲＦアンプ６で増幅される。ＲＦアンプ６で増幅されたＲＦ信号は、更にデジタル信号処理部８に入力され、デジタルデータに変換された後、このデジタルデータは、光ディスク１のデータフォーマットに応じた信号復調処理とＥＣＣブロックによる誤り訂正処理が行われる。
【００３５】
このような処理が行われているとき、システムコントローラ２２は、再生中にジッタ値とブロックエラーレートの監視を行う（ステップＳ３）。即ち、この光ディスク１の情報の再生中に、システムコントローラ２２のジッタ値検出手段は、光ピックアップ２からのＲＦ信号を増幅したＲＦアンプ６の出力信号であるＲＦ信号を入力して時間経過に従ったジッタ値を検出し、また、システムコントローラ２２のブロックエラーレート検出手段は、デジタル信号処理部８での誤り訂正処理を行ったときのブロックエラーレートを検出する。
【００３６】
そして、システムコントローラ２２では、前記検出されたジッタ値は限界基準値を超えたか否かを判定するジッタ限界基準値判定手段による処理（ステップＳ４）と、前記検出されたジッタ値のバラツキ量は限界基準値を超えたか否かを判定するジッタバラツキ限界基準値判定手段による処理（ステップＳ１４）と、前記検出されたブロックエラーレートは限界基準値を超えたか否かを判定するブロックエラーレート限界基準値判定手段による処理（ステップＳ１５）と、前記検出されたブロックエラーレートは特定位置において限界基準値を超えて増加したか否かを判定するブロックエラーレート増加判定手段による処理（ステップＳ１６）とが行われる。
【００３７】
この図２のフローチャートでは、ジッタ限界基準値判定手段による処理について説明する。前記ジッタ検出手段により検出されたジッタ値が限界基準値を超えたと、ジッタ限界基準値判定手段により判定された場合（ステップＳ４）、システムコントローラ２２の早急メッセージ表示処理手段は、フラッシュＲＯＭ２３に予め記憶された早急メッセージのデータを読み出し、このデータをＯＳＤ処理し更にビデオエンコーダ１８でビデオ信号としてディスプレイ装置２０に出力し、これにより、当該光ディスク１の記録データのバックアップを早急に取るように告知する早急メッセージをディスプレイ装置２０に表示させる（ステップＳ５）。なお、前記限界基準値とは、光ディスクの記録面が傷や色素変化などで劣化して、光ディスクから情報が再生することができない状態になる可能性が生じるまでの予想される限界のジッタ値を言い、再生不可になるジッタ値よりも低く設定された基準値である。
【００３８】
ディスプレイ装置２０に表示された前記早急メッセージを見たユーザは、光ディスク１の記録データのバックアップを取る必要があるため、リモコン２１を操作してシステムコントローラ２２のバックアップ判定手段に対して、同じ光ディスク１に対してバックアップが可能であるか否を判定させる（ステップＳ６）。同じ光ディスク１に空き領域がない場合、あるいはユーザによる書き換え指示された領域がない場合は、システムコントローラ２２は、ディスプレイ装置２０に、同じ光ディスク１にはバックアップに使用する領域がないということを知らせるメッセージを表示し、これを見たユーザは、リモコン２１を操作してシステムコントローラ２２に対してバックアップ処理を行わせると、システムコントローラ２２のバックアップ制御手段は、同じ光ディスク１からバックアップするデータを読み出し、装置内の例えばフラッシュＲＯＭ２３（データ量が少ない場合はＲＡＭ７でも良い）に一旦移した後、光ディスクを入れ替えるように指示するメッセージをディスプレイ装置２０に表示させる。
【００３９】
そのメッセージを見たユーザは、光ディスクを入れ替え、違う光ディスクを装填すると、システムコントローラ２２のバックアップ指示手段は、違う光ディスク（書き込み可能なＤＶＤ）に前記同じ光ディスク１の記録データのバックアップを行うため（ステップＳ８）、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、違う光ディスクに対してバックアップデータを記録させる。なお、ハードディスク付きの光ディスク記録再生装置であれば、バックアップデータを一旦ハードディスクに記録させ、ハードディスクからバックアップデータを読み出して、前記違う光ディスクにバックアップデータを記録させても良い。
【００４０】
一方、同じ光ディスク１にバックアップが可能であると判定された場合（ステップＳ６）、システムコントローラ２２は、同じ光ディスク１からバックアップするデータを読み出し、装置内の例えばフラッシュＲＯＭ２３（データ量が少ない場合はＲＡＭ７でも良い）に一旦移した後、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、同じ光ディスク１の空き領域または書き換え指示された領域に、バックアップデータを記録する（ステップＳ７）。なお、同じ光ディスクの空き領域または書き換え指示された領域にバックアップデータを記録した場合は、ディスク規格で定められているリードイン（Lead-in）領域の情報（どの領域に何のデータが記録されているかを管理するための情報）も変更する。
【００４１】
以上のステップＳ３〜ステップＳ８の処理は再生が終了（ステップＳ９）するまで繰り返されるが、ステップＳ４においてジッタ値は限界基準値を超えていないと判定された場合、システムコントローラ２２のジッタ予告基準値判定手段は、前記ジッタ値検出手段により検出されたジッタ値が予告基準値を超えているか否かを判定する（ステップＳ１０）。前記検出されたジッタ値が予告基準値を超えていると判定された場合、システムコントローラ２２の次回ジッタ基準値記録手段は、このときのジッタ値を次回の判定基準に用いる次回の予告基準値として光ディスク１の空き領域に記録させる（ステップＳ１１）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、前もってバックアップの準備や対策を行うことができる。
【００４２】
再生が終了するまでの間、同様にステップＳ１０の判定処理を行うが、予告基準値は前回光ディスク１の空き領域に記録された予告基準値に更新される。したがって、同様にしてジッタ値検出手段により検出されたジッタ値が前記更新予告基準値を超えているか否かが判定され（ステップＳ１０）、前記検出されたジッタ値が前記更新予告基準値を超えていると判定された場合、システムコントローラ２２の次回ジッタ基準値記録手段は、このときのジッタ値を次回の判定基準に用いる次回の予告基準値として光ディスク１の空き領域に記録する（ステップＳ１１）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、光ディスク１の経時変化による劣化状況も把握できて、前もってバックアップの準備や対策を行うことができる。
【００４３】
図３は図２のステップＳ１４からの処理を説明するためのフローチャートである。図３において図２の示すステップに対応するものには同一のステップ番号を付している。
【００４４】
図３において、前記ジッタ検出手段により検出されたジッタ値のバラツキ量が限界基準値を超えたと、ジッタバラツキ限界基準値判定手段により判定された場合（ステップＳ１４）、システムコントローラ２２の早急メッセージ表示処理手段は、フラッシュＲＯＭ２３に予め記憶された早急メッセージのデータを読み出し、このデータをＯＳＤ処理し、更にビデオエンコーダ１８でビデオ信号としてディスプレイ装置２０に出力し、これにより、当該光ディスク１の記録データのバックアップを早急に取るように告知する早急メッセージをディスプレイ装置２０に表示させる（ステップＳ５）。なお、ここでの限界基準値とは、光ディスク１の記録面が傷や色素変化などで劣化して、光ディスク１から情報が再生することができない状態になる可能性が生じるまでの予想される限界のジッタ値のバラツキ量を言い、再生不可になるジッタ値のバラツキ量よりも低く設定された基準値である。
【００４５】
ディスプレイ装置２０に表示された前記早急メッセージを見たユーザは、光ディスク１の記録データのバックアップを取る必要があるため、リモコン２１を操作してシステムコントローラ２２のバックアップ判定手段に対して、同じ光ディスク１に対してバックアップが可能であるか否を判定させる（ステップＳ６）。同じ光ディスク１に空き領域がない場合、あるいは書き換えしても良い領域がない場合は、システムコントローラ２２は、ディスプレイ装置２０に、同じ光ディスク１にはバックアップに使用する領域がないということを知らせるメッセージを表示し、これを見たユーザは、リモコン２１を操作してシステムコントローラ２２に対してバックアップ処理を行わせると、システムコントローラ２２のバックアップ制御手段は、同じ光ディスク１からバックアップするデータを読み出し、装置内の例えばフラッシュＲＯＭ２３（データ量が少ない場合はＲＡＭ７でも良い）に一旦移した後、光ディスクを入れ替えるように指示するメッセージをディスプレイ装置２０に表示させる。
【００４６】
そのメッセージを見たユーザは、光ディスクを入れ替え、違う光ディスクを装填すると、システムコントローラ２２のバックアップ指示手段は、違う光ディスク（書き込み可能なＤＶＤ）に前記同じ光ディスク１の記録データのバックアップを行うため（ステップＳ８）、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、違う光ディスクに対してバックアップデータを記録させる。
【００４７】
一方、同じ光ディスク１にバックアップが可能であると判定された場合（ステップＳ６）、システムコントローラ２２は、同じ光ディスク１からバックアップするデータを読み出し、装置内の例えばフラッシュＲＯＭ２３（データ量が少ない場合はＲＡＭ７でも良い）に一旦移した後、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、同じ光ディスク１の空き領域または書き換え指示された領域に、バックアップデータを記録する（ステップＳ７）。
【００４８】
以上のステップＳ３、ステップＳ１４、ステップＳ５〜ステップＳ８の処理は再生が終了（ステップＳ９）するまで繰り返されるが、ステップＳ１４においてジッタ値のバラツキ量は限界基準値を超えていないと判定された場合、システムコントローラ２２のジッタバラツキ量予告基準値判定手段は、前記ジッタ値検出手段により検出されたジッタ値のバラツキ量が予告基準値を超えているか否かを判定する（ステップＳ１７）。前記検出されたジッタ値のバラツキ量が予告基準値を超えていると判定された場合、システムコントローラ２２の次回ジッタバラツキ基準値記録手段は、このときのジッタ値のバラツキ量を次回の判定基準に用いる次回の予告基準値として光ディスク１の空き領域に記録する（ステップＳ１８）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、前もってバックアップの準備や対策を行うことができる。
【００４９】
再生が終了するまでの間、同様にステップＳ１７の判定処理を行うが、予告基準値は前回光ディスク１の空き領域に記録した予告基準値に更新される。したがって、同様にしてジッタ値検出手段により検出されたジッタ値のバラツキ量が前記更新予告基準値を超えているか否かが判定され（ステップＳ１７）、前記検出されたジッタ値のバラツキ量が前記更新予告基準値を超えていると判定された場合、システムコントローラ２２の次回ジッタバラツキ基準値記録手段は、このときのジッタ値のバラツキ量を次回の判定基準に用いる次回の予告基準値として光ディスク１の空き領域に記録する（ステップＳ１８）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、光ディスク１の経時変化による劣化状況も把握できて、前もってバックアップの準備や対策を行うことができる。
【００５０】
図４は図２のステップＳ１５からの処理を説明するためのフローチャートである。図４において図２の示すステップに対応するものには同一のステップ番号を付している。
【００５１】
図４において、システムコントローラ２２のブロックエラーレート検出手段により検出されたデジタル信号処理部８からのブロックエラーレートが限界基準値を超えたと、ブロックエラーレート限界基準値判定手段により判定された場合（ステップＳ１５）、システムコントローラ２２の早急メッセージ表示処理手段は、フラッシュＲＯＭ２３に予め記憶された早急メッセージのデータを読み出し、このデータをＯＳＤ処理し、更にビデオエンコーダ１８でビデオ信号としてディスプレイ装置２０に出力し、これにより、当該光ディスク１の記録データのバックアップを早急に取るように告知する早急メッセージをディスプレイ装置２０に表示させる（ステップＳ５）。なお、ここでの限界基準値とは、光ディスク１の記録面が傷や色素変化などで劣化して、光ディスク１から情報が再生することができない状態になる可能性が生じるまでの予想される限界のブロックエラーレートを言い、再生不可になるブロックエラーレートよりも低く設定された基準値である。
【００５２】
ディスプレイ装置２０に表示された前記早急メッセージを見たユーザは、光ディスク１の記録データのバックアップを取る必要があるため、リモコン２１を操作してシステムコントローラ２２のバックアップ判定手段に対して、同じ光ディスク１に対してバックアップが可能であるか否を判定させる（ステップＳ６）。同じ光ディスク１に空き領域がない場合、あるいは書き換え指示された領域がない場合は、システムコントローラ２２は、ディスプレイ装置２０に、同じ光ディスク１にはバックアップに使用する領域がないということを知らせるメッセージを表示し、これを見たユーザは、リモコン２１を操作してシステムコントローラ２２に対してバックアップ処理を行わせると、システムコントローラ２２のバックアップ制御手段は、同じ光ディスク１からバックアップするデータを読み出し、装置内の例えばフラッシュＲＯＭ２３（データ量が少ない場合はＲＡＭ７でも良い）に一旦移した後、光ディスクを入れ替えるように指示するメッセージをディスプレイ装置２０に表示させる。
【００５３】
そのメッセージを見たユーザは、光ディスクを入れ替え、違う光ディスクを装填すると、システムコントローラ２２のバックアップ指示手段は、違う光ディスク（書き込み可能なＤＶＤ）に前記同じ光ディスク１の記録データのバックアップを行うため（ステップＳ８）、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、違う光ディスクに対してバックアップデータを記録させる。
【００５４】
一方、同じ光ディスク１にバックアップが可能であると判定された場合（ステップＳ６）、システムコントローラ２２は、同じ光ディスク１からバックアップするデータを読み出し、装置内の例えばフラッシュＲＯＭ２３（データ量が少ない場合はＲＡＭ７でも良い）に一旦移した後、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、同じ光ディスク１の空き領域または書き換え指示された領域に、バックアップデータを記録する（ステップＳ７）。
【００５５】
以上のステップＳ３、ステップＳ１５、ステップＳ５〜ステップＳ８の処理は再生が終了（ステップＳ９）するまで繰り返されるが、ステップＳ１５においてブロックエラーレートは限界基準値を超えていないと判定された場合、システムコントローラ２２のブロックエラーレート予告基準値判定手段は、前記ブロックエラーレート検出手段により検出されたブロックエラーレートが予告基準値を超えているか否かを判定する（ステップＳ１９）。前記検出されたブロックエラーレートが予告基準値を超えていると判定された場合、システムコントローラ２２の次回ジッタバラツキ基準値記録手段は、このときのブロックエラーレートを次回の判定基準に用いる次回の予告基準値として光ディスク１の空き領域に記録する（ステップＳ２０）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、前もってバックアップの準備や対策を行うことができる。
【００５６】
再生が終了するまでの間、同様にステップＳ１９の判定処理を行うが、予告基準値は前回光ディスク１の空き領域に記録した予告基準値に更新される。したがって、同様にしてブロックエラーレート検出手段により検出されたブロックエラーレートが前記更新予告基準値を超えているか否かが判定され（ステップＳ１９）、前記検出されたブロックエラーレートが前記更新予告基準値を超えていると判定された場合、システムコントローラ２２の次回ブロックエラーレート基準値記録手段は、このときのブロックエラーレートを次回の判定基準に用いる次回の予告基準値として光ディスク１の空き領域に記録する（ステップＳ２０）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、光ディスク１の経時変化による劣化状況も把握できて、前もってバックアップの準備や対策を行うことができる。
【００５７】
図５は図２のステップＳ１６からの処理を説明するためのフローチャートである。図５において図２の示すステップに対応するものには同一のステップ番号を付している。
【００５８】
図５において、システムコントローラ２２のブロックエラーレート検出手段により検出されたデジタル信号処理部８からのブロックエラーレートが特定位置において限界基準値を超えて増加したと、ブロックエラーレート増加判定手段により判定された場合（ステップＳ１６）、システムコントローラ２２の早急メッセージ表示処理手段は、フラッシュＲＯＭ２３に予め記憶された早急メッセージのデータを読み出し、このデータをＯＳＤ処理し、更にビデオエンコーダ１８でビデオ信号としてディスプレイ装置２０に出力し、これにより、当該光ディスク１の記録データのバックアップを早急に取るように告知する早急メッセージをディスプレイ装置２０に表示させる（ステップＳ５）。なお、ここでの限界基準値とは、光ディスク１の記録面が傷や色素変化などで劣化して、光ディスク１から情報が再生することができない状態になる可能性が生じるまでの予想される限界の増加ブロックエラーレートを言い、再生不可になる増加ブロックエラーレートよりも低く設定された基準値である。
【００５９】
ディスプレイ装置２０に表示された前記早急メッセージを見たユーザは、光ディスク１の記録データのバックアップを取る必要があるため、リモコン２１を操作してシステムコントローラ２２のバックアップ判定手段に対して、同じ光ディスク１に対してバックアップが可能であるか否を判定させる（ステップＳ６）。同じ光ディスク１に空き領域がない場合、あるいは書き換え指示された領域がない場合は、システムコントローラ２２は、ディスプレイ装置２０に、同じ光ディスク１にはバックアップに使用する領域がないということを知らせるメッセージを表示し、これを見たユーザは、リモコン２１を操作してシステムコントローラ２２に対してバックアップ処理を行わせると、システムコントローラ２２のバックアップ制御手段は、同じ光ディスク１からバックアップするデータを読み出し、装置内の例えばフラッシュＲＯＭ２３（データ量が少ない場合はＲＡＭ７でも良い）に一旦移した後、光ディスクを入れ替えるように指示するメッセージをディスプレイ装置２０に表示させる。
【００６０】
そのメッセージを見たユーザは、光ディスクを入れ替え、違う光ディスクを装填すると、システムコントローラ２２のバックアップ指示手段は、違う光ディスク（書き込み可能なＤＶＤ）に前記同じ光ディスク１の記録データのバックアップを行うため（ステップＳ８）、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、違う光ディスクに対してバックアップデータを記録させる。
【００６１】
一方、同じ光ディスク１にバックアップが可能であると判定された場合（ステップＳ６）、システムコントローラ２２は、同じ光ディスク１からバックアップするデータを読み出し、装置内の例えばフラッシュＲＯＭ２３（データ量が少ない場合はＲＡＭ７でも良い）に一旦移した後、フラッシュＲＯＭ２３からバックアップのデータを読み出し、ＲＡＭ３２をバッファとし、ＡＴＡＰＩ３３、記録データ変調回路２５、およびレーザ変調回路２６を介することにより、バックアップデータに対応するレーザ変調信号を光ピックアップ２に与え、同じ光ディスク１の空き領域または書き換え指示された領域に、バックアップデータを記録する（ステップＳ７）。
【００６２】
以上のステップＳ３、ステップＳ１６、ステップＳ５〜ステップＳ８の処理は再生が終了（ステップＳ９）するまで繰り返されるが、ステップＳ１６においてブロックエラーレートは限界基準値を超えていないと判定された場合、システムコントローラ２２の増加ブロックエラーレート予告基準値判定手段は、前記ブロックエラーレート検出手段により検出されたブロックエラーレートが特定位置で予告基準値を超えて増加したか否かを判定する（ステップＳ２１）。前記検出されたブロックエラーレートが特定位置で予告基準値を超えて増加していると判定された場合、システムコントローラ２２の次回増加ブロックエラーレート基準値記録手段は、このときの増加ブロックエラーレートを次回の判定基準に用いる次回の予告基準値として光ディスク１の空き領域に記録する（ステップＳ２２）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、前もってバックアップの準備や対策を行うことができる。
【００６３】
再生が終了するまでの間、同様にステップＳ２１の判定処理を行うが、予告基準値は前回光ディスク１の空き領域に記録した予告基準値に更新される。したがって、同様にしてブロックエラーレート検出手段により検出されたブロックエラーレートが特定位置で前記更新予告基準値を超えて増加しているか否かが判定され（ステップＳ２１）、前記検出されたブロックエラーレートが特定位置で前記更新予告基準値を超えて増加していると判定された場合、システムコントローラ２２の次回増加ブロックエラーレート基準値記録手段は、このときの増加ブロックエラーレートを次回の判定基準に用いる次回の予告基準値として光ディスク１の空き領域に記録する（ステップＳ２２）。そして、システムコントローラ２２の予告メッセージ表示処理手段は、この光ディスク１の記録データは先でバックアップを取る方が良いという予告メッセージをディスプレイ装置２０に表示させる（ステップＳ１２）。その予告メッセージを見たユーザは、光ディスク１の経時変化による劣化状況も把握できて、前もってバックアップの準備や対策を行うことができる。
【００６４】
以上説明した図２〜図５の処理は並行して行われる。当該光ディスクの記録面の或る区間が傷や色素変化により、図２のステップＳ４に示すようにジッタ値が限界基準値を超えたと判定され、更にジッタ値が大きくなると、光ピックアップ２からのＲＦ信号をデコード処理に持っていくことができなくなり、再生が不可能になるので、その前にジッタ値が限界基準値を少しでも超えたと判定されたときに、当該光ディスクの記録面が劣化している区間の記録データのバックアップを取るようにしている。また、図３のステップＳ１４においてジッタ値のバラツキ量が限界基準値を超えたと判定されたとき、このときの当該光ディスクの記録面の区間に傷や色素変化があることが予想されるので、その前にジッタ値のバラツキ量が限界基準値を少しでも超えたと判定されたときに、当該光ディスクの記録面が劣化している区間の記録データのバックアップを取るようにしている。このようにジッタ値とジッタ値のバラツキ量とを監視することにより、当該光ディスクの経時的な劣化状況を把握ことができる。
【００６５】
また、図４のステップＳ１５においてブロックエラーレートが限界基準値を超えたと判定されたとき、このときの当該光ディスクの記録面の区間に傷や色素変化があることが予想されるので、その前にブロックエラーレートが限界基準値を少しでも超えたと判定されたときに、当該光ディスクの記録面が劣化している区間の記録データのバックアップを取るようにしている。また、図５のステップＳ１６においてブロックエラーレートが特定位置で限界基準値を超えて増加したと判定されたとき、当該光ディスクの記録面が劣化している特定位置の記録データのバックアップを取るようにしている。
【００６６】
以上説明したように本実施形態によれば、ジッタ値が予告基準値を超えていると判定された場合、ジッタ値のバラツキ量が予告基準値を超えていると判定された場合、ブロックエラーレートが予告基準値を超えていると判定された場合、およびブロックエラーレートが特定位置において予告基準値を超えて増加したと判定された場合のうちの一つ以上の場合が生じたとき、当該光ディスクの記録データは先でバックアップを取る方が良いという予告メッセージを表示させるようにしたので、光ディスクの経時変化による劣化状況も把握できて、前もってバックアップの準備や対策を行うことができる。
【００６７】
また、ジッタ値は限界基準値を超えていると判定された場合、ジッタ値のバラツキ量は限界基準値を超えていると判定された場合、ブロックエラーレートは限界基準値を超えていると判定された場合、およびブロックエラーレートは特定位置において限界基準値を超えて増加したと判定された場合のうちの一つ以上の場合が生じたとき、当該光ディスクの記録データのバックアップを早急に取るように告知する早急メッセージを表示させるようにしたので、光ディスクに記録されているコンテンツがディスク記録面の傷や色素変化などによりデータの読み出しができなくなる前に、ユーザに気付かせることで、当該光ディスクの記録データのバックアップを早急に取って、大切な記録データの損失を防ぐことができるようになる。
【図面の簡単な説明】
【００６８】
【図１】本発明の一実施形態に係る光ディスク記録再生装置の構成を示すブロック図である。
【図２】前記実施形態において光ディスクが記録面の傷や色素の変化などにより記録データの読み出しができなくなる前にバックアップを指示する機能の処理を説明するためのフローチャートである。
【図３】図２のステップＳ１４からの処理を説明するためのフローチャートである。
【図４】図２のステップＳ１５からの処理を説明するためのフローチャートである。
【図５】図２のステップＳ１６からの処理を説明するためのフローチャートである。
【符号の説明】
【００６９】
１    光ディスク
２    光ピックアップ
２０    ディスプレイ装置（表示手段）
２２    システムコントローラ（ジッタ値検出手段、ブロックエラーレート検出手段、ジッタ限界基準値判定手段、ジッタバラツキ限界基準値判定手段、ブロックエラーレート限界基準値判定手段、ブロックエラーレート限界基準値判定手段、ブロックエラーレート増加判定手段、早急メッセージ表示処理手段、バックアップ判定手段、バックアップ制御手段、バックアップ指示手段、ジッタ予告基準値判定手段、次回ジッタ基準値記録手段、ジッタバラツキ量予告基準値判定手段、次回ジッタバラツキ基準値記録手段、ブロックエラーレート予告基準値判定手段、次回ブロックエラーレート基準値記録手段、増加ブロックエラーレート予告基準値判定手段、次回増加ブロックエラーレート基準値記録手段、予告メッセージ表示処理手段）
【図１】
2007149161.tif 000003
【図２】
2007149161.tif 000004
【図３】
2007149161.tif 000005
【図４】
2007149161.tif 000006
【図５】
2007149161.tif 000007